(57)【要約】【課題】基礎下免震における外部配管接続構造を提供する。【解決手段】  建物本体７を支持する基礎６と地盤面９との間を摺動面とする基礎下免震を有する建物の内部配管３と外部配管４を接続するフレキシブル管１の設置構造であって、建物の内部配管３と外部配管４とを接続するフレキシブル管１と、基礎６外周の地中に埋設され、フレキシブル管１を支持する支持部材２とからなり、フレキシブル管１は、支持部材２に面で支持され、基礎下免震稼動時に支持部材２上で伸縮・屈曲する基礎下免震の外部配管接続構造により解決される。【選択図】    図１
2011122673.tif 000002
【特許請求の範囲】
【請求項１】
建物本体を支持する基礎と地盤面との間を摺動面とする基礎下免震を有する建物の内部配管と外部配管を接続するフレキシブル管の設置構造であって、
建物の内部配管と外部配管とを接続するフレキシブル管と、
基礎外周の地中に埋設され前記フレキシブル管を支持する支持部材とからなり、
前記フレキシブル管は、支持部材に面で支持され、基礎下免震稼動時に支持部材上で伸縮・屈曲することを特徴とする基礎下免震の外部配管接続構造。
【請求項２】
前記支持部材がビーズ法ポリスチレンフォームからなる請求項１に記載の基礎下免震の外部配管接続構造。
【請求項３】
前記支持部材の上端面が建物基礎側から外部方向に向けて傾斜している請求項１乃至２に記載の基礎下免震の外部配管接続構造。
【発明の詳細な説明】
【技術分野】
【０００１】
本発明は、基礎下免震に採用される外部配管接続構造に関する。
【背景技術】
【０００２】
基礎を含む下部構造体に対して上部構造体が地震時の揺れに対して水平に変位する免震建物では、設備類の配管など（以下、「配管類」という）は、上部構造体と下部構造体間の配管類の接続を伸縮自在のフレキシブル管で行い、地震時の上部構造体と下部構造体の変位による配管類のズレを上部構造体と下部構造体間で吸収し、建物の内外での配管類の接続は、配管類を下部構造体に貫通させ、建物外部の配管類と建物内部の配管類を接続させることが行われている。これは、地震時に水平方向に変位する上部構造体では、地震時に建物外部の配管類と建物内部の配管類とを接続する構造とすることが難しいことが要因である。
【０００３】
一方、建物本体を支持する基礎と地盤面との間を摺動面とする基礎下免震では、地震時に基礎を含む建物本体そのものが、地盤面に対して変位するため、地震時の建物本体と地盤面の変位による配管類のズレを、建物内部の配管と建物外部の配管との接続を建物基礎外周側地上面に設置するフレキシブル管とすることで吸収するようになされている。
【先行技術文献】
【特許文献】
【０００４】
【特許文献１】特開２００８−２２３２２９号公報
【発明の概要】
【発明が解決しようとする課題】
【０００５】
しかし、建物本体の基礎外周側の地上面にフレキシブル配管を設置すると、外部に配置されるため、紫外線の劣化や人が通過するときにつまずくといった問題があり、意匠カバーを取り付けても見栄えが良くなかった。また、フレキシブル管を地中に埋設すると、埋設するための埋め戻し土が基礎下免震の稼動の妨げとなり、充分な免震効果を発揮できないといった問題があった。さらに、排水管であれば適切な水勾配を設ける必要があるが、地震後に水勾配を確保することが難しい。
【０００６】
本発明は、以上のような問題点に鑑み、基礎下免震における外部配管接続構造を提供することを課題とする。
【課題を解決するための手段】
【０００７】
上記の課題は、建物本体を支持する基礎と地盤面との間を摺動面とする基礎下免震を有する建物の内部配管と外部配管を接続するフレキシブル管の設置構造であって、建物の内部配管と外部配管とを接続するフレキシブル管と、基礎外周の地中に埋設され前記フレキシブル管を支持する支持部材とからなり、前記フレキシブル管は、支持部材に面で支持され、基礎下免震稼動時に支持部材上で伸縮・屈曲することを特徴とする基礎下免震の外部配管接続構造により解決される。
【０００８】
さらに、支持部材がビーズ法ポリスチレンフォーム（ＥＰＳ）であるとよい。
【０００９】
建物の内部配管と外部配管とを接続するフレキシブル管が、基礎外周の地中に埋設される支持部材上に面で支持されているので、フレキシブル管を埋設するための埋め戻し土が基礎下免震の稼動の妨げとなることがなく、免震性能を発揮することができる。また、支持部材上に埋め戻し土を埋め戻した場合であっても、埋め戻し土の絶対量は少なくてすむため、免震性能に与える影響を小さくすることができる。
【００１０】
また、支持部材がビーズ法ポリスチレンフォーム（ＥＰＳ）からなっていると、ビーズ法ポリスチレンフォーム（ＥＰＳ）の発泡倍率を選択することにより、圧縮強さを調整することができ、さらに一旦圧縮され始めると安定して変形する特色を有するので、圧縮部を圧縮するのに必要な力を定量的に把握することができ、免震の設計を正確に行うことができる。
【００１１】
さらに、支持部材の上端面が建物基礎側から外部方向に向けて傾斜しているとよい。
【００１２】
支持部材の上端面が建物基礎側から外部方向に向けて傾斜していると、フレキシブル管に勾配をつけることができ、地震前だけでなく、地震後であっても、フレキシブル管に勾配を確保することができるため、排水管を接続する場合であっても適切な水勾配を確保することができる。
【発明の効果】
【００１３】
本発明は以上のとおりであるから、地震時に免震性能に与える影響が小さく、建物の基礎周辺部と見栄えよくできる、基礎下免震における外部配管と内部配管を接続するフレキシブル管による接続を容易に実現することができる。
【図面の簡単な説明】
【００１４】
【図１】本発明の実施形態を示す断面正面図である。
【図２】同上面図である。
【図３】ビーズ法ポリスチレンフォーム（ＥＰＳ）の三軸圧縮試験結果を示すグラフである。
【発明を実施するための形態】
【００１５】
次に、本発明の実施形態を図面に基づいて説明する。
【００１６】
図１、図２に示す基礎下免震の外部配管接続構造において、１は建物の排水用の内部配管３と外部配管４を接続するフレキシブル管、２は支持部材である。
【００１７】
フレキシブル管１は、建物内部の内部配管３と建物外部の外部配管４とを接続する伸縮・屈曲可能な管であり、上部基礎６と建物本体７からなる上部構造８の外周側の上部構造８の稼動範囲内の地盤基礎１０上に設置された支持部材２の上面部に支持されている。なお、地盤基礎１０は、地盤面９上に設けられ、地盤基礎１０と上部基礎６との間には、基礎下すべり材１１が介設されている。
【００１８】
外部配管４は、上部構造８の外周側を上部基礎６の周方向に平行して配置され、エルボ管５を介して上部基礎６側に４５度屈曲させてフレキシブル管１に接続される。一方、内部配管３は、上部基礎６の立ち上がり部６ａを貫通して上部基礎６の周方向と垂直に内部から外部へと延出し、エルボ管５を介して外側配管４が配置される側とは反対側に４５度屈曲させてフレキシブル管１に接続される。
【００１９】
支持部材２の上面部は、建物基礎側から外部方向に向けて傾斜している。また、支持部材２は、基礎下免震稼動時に基礎下免震の移動の抵抗とならないように、少ない力で大きな圧縮ができる部材が選定されればよく、ここでは、例えばビーズ法ポリスチレンフォーム（ＥＰＳ）が用いられる。ビーズ法ポリスチレンフォーム（ＥＰＳ）は、発泡倍率を選択することにより、圧縮強さを調整することができ、図３に示すように一旦圧縮され始めると安定して変形する特色を有するため、免震稼動時に免震の性能に影響を与えることが少なく、また、圧縮するのに必要な力を定量的に把握することができる。
【００２０】
なお、１２は、支持部材２上に配置させるフレキシブル管を埋設するための埋め戻し土である。
【００２１】
建物の内部配管と外部配管とを接続するフレキシブル管が、基礎外周の地中に埋設される支持部材上に面で支持されているので、地震時に、内部配管３と外部配管４とのズレをフレキシブル管１が収縮・屈曲することにより吸収することができ、このフレキシブル管１を地盤面１０上に設けられた支持部材２の上面により面で支持するので、地震時だけでなく、地震後であっても確実にフレキシブル管１を支持することができ、また、支持部材２の上面に設けられた傾斜により、フレキシブル管１に適切な勾配をつけることができる。
【００２２】
さらに、フレキシブル管１の支持を支持部材２により実現しているので、フレキシブル管を埋設するための埋め戻し土が基礎下免震の稼動の妨げとなることがなく、免震性能を発揮することができる。また、支持部材上に埋め戻し土を埋め戻した場合であっても、埋め戻し土の絶対量は少なくてすむため、免震性能に与える影響を小さくすることができる。
【００２３】
また、フレキシブル管１を支持部材２上に配置した状態で地中に埋設することができるので、フレキシブル管１を地上面に設置しなくてすみ、紫外線の劣化や人が通過するときにつまずくといったことがない。
【００２４】
以上に、本発明の実施形態を示したが、本発明はこれに限られるものではなく、発明思想を逸脱しない範囲で各種の変更が可能である。例えば、上記の実施形態では、配管を排水管として利用する場合について示したが、排水管に限定されることはなく、ガス管であってもよいし、電気ケーブルを通す管であってもよいのはいうまでもない。
【００２５】
また、支持部材としてビーズ法ポリスチレンフォーム（ＥＰＳ）で場合について示したが、支持部材の材質はこれに限定されることはなく、他の発泡系樹脂材料であってもよいし、さらに他の材料であってもよいのはいうまでもない。
【符号の説明】
【００２６】
１・・・フレキシブル管
２・・・支持部材
３・・・内部配管
４・・・外部配管
６・・・上部基礎
１０・・・地盤面
【図１】
2011122673.tif 000003
【図２】
2011122673.tif 000004
【図３】
2011122673.tif 000005